(57)【要約】【課題】盛土による法面において、先細り形状の間伐材を壁面に固定して面状に敷設することにより、森林資源を有効活用しつつ自然景観との調和を保持しうる法面保護工用の木材固定材を提供する。【解決手段】左右一対の木材係合片２、３を対向させて両者間に木材挿入空間５を形成する。各木材係合片２、３として、複数本の横方向鉄筋２１、３１と複数本の縦方向鉄筋２２、３２とを格子状に固着し、各横方向鉄筋２１、３１の一端にフック部２１ａ、３１ａを形成し、すべての横方向鉄筋をＬ字形に折り曲げた構造を有するものを採用する。木材挿入空間５に必要本数の間伐材を水平に挿入して積み重ねると、各間伐材はその両端が木材係合片２、３に係合した状態で壁面上に敷設される。【選択図】　　　図１
2004060221.tif 000002
【特許請求の範囲】
【請求項１】
左右一対の木材係合片（２、３）を対向させて両者間に木材挿入空間（５）を形成した法面保護工用の木材固定材（１）であって、
前記各木材係合片として、
複数本の横方向棒状工材（２１、３１）と複数本の縦方向棒状工材（２２、３２）とを格子状に固着し、これら横方向棒状工材のうち少なくとも最上段および最下段の２本の横方向棒状工材の一端にフック部（２１ａ、３１ａ）を形成し、すべての横方向棒状工材をＬ字形に折り曲げた構造を有するものを採用したことを特徴とする法面保護工用の木材固定材。
【請求項２】
左右一対の木材係合片（２、３）間に中継用の木材係合片（４）を１個以上追加した法面保護工用の木材固定材（１）であって、
前記各中継用の木材係合片として、
複数本のＴ字形の横方向棒状工材（４１）と複数本の縦方向棒状工材（４２）とを格子状に固着し、これら横方向棒状工材のうち少なくとも最上段および最下段の２本の横方向棒状工材の脚部（４１ｂ）の先端にフック部（４１ａ）を形成した構造を有するものを採用したことを特徴とする請求項１に記載の法面保護工用の木材固定材。
【発明の詳細な説明】
【０００１】
【発明の属する技術分野】
本発明は、盛土による法面に適用される法面保護工用の木材固定材に関するものである。
【０００２】
【従来の技術】
盛土による法面は、その壁面を過酷な自然環境下で長期間にわたって安定化させるため、各種の法面保護工が施されてきたが、最近では、壁面に間伐材を面状に敷設することにより、森林資源を有効活用しつつ自然景観との調和を保つ法面保護工が採用される傾向にある。
【０００３】
【発明が解決しようとする課題】
しかし、間伐材は幹の下から上に向かって縮径する先細り形状であることが多いため、うまく壁面に固定できないという不都合があった。
【０００４】
本発明は、このような事情に鑑み、先細り形状の間伐材を壁面に固定して面状に敷設することにより、森林資源を有効活用しつつ自然景観との調和を保つことが可能な法面保護工用の木材固定材を提供することを目的とする。
【０００５】
【課題を解決するための手段】
まず、本発明のうち請求項１に係る発明は、左右一対の木材係合片（２、３）を対向させて両者間に木材挿入空間（５）を形成した法面保護工用の木材固定材（１）であって、前記各木材係合片として、複数本の横方向鉄筋（２１、３１）などの横方向棒状工材と複数本の縦方向鉄筋（２２、３２）などの縦方向棒状工材とを格子状に固着し、これら横方向棒状工材のうち少なくとも最上段および最下段の２本の横方向棒状工材の一端にフック部（２１ａ、３１ａ）を形成し、すべての横方向棒状工材をＬ字形に折り曲げた構造を有するものを採用して構成される。
【０００６】
こうした構成を採用することにより、木材挿入空間に必要本数の間伐材（９）を水平に挿入して積み重ねると、各間伐材はその両端が木材係合片に係合した状態で壁面（６）上に敷設されるように作用する。
【０００７】
また、本発明のうち請求項２に係る発明は、上記左右一対の木材係合片（２、３）間に中継用の木材係合片（４）を１個以上追加した法面保護工用の木材固定材（１）であって、前記各中継用の木材係合片として、複数本のＴ字形の横方向鉄筋（４１）などの横方向棒状工材と複数本の縦方向鉄筋（４２）などの縦方向棒状工材とを格子状に固着し、これら横方向棒状工材のうち少なくとも最上段および最下段の２本の横方向棒状工材の脚部（４１ｂ）の先端にフック部（４１ａ）を形成した構造を有するものを採用して構成される。
【０００８】
かかる構成により、壁面（６）の横幅が間伐材の長さより広い場合に、中継用の木材係合片によって間伐材（９）をその長さ方向に継ぎ足すことが可能となるように作用する。
【０００９】
なお、括弧内の符号は図面において対応する要素を表す便宜的なものであり、したがって、本発明は図面上の記載に限定拘束されるものではない。このことは「特許請求の範囲」の欄についても同様である。
【００１０】
【発明の実施の形態】
以下、本発明の実施形態を図面に基づいて説明する。
【００１１】
＜第１の実施形態＞
図１は本発明に係る法面保護工用の木材固定材の第１の実施形態を示す斜視図、
図２は図１に示す法面保護工用の木材固定材の使用状態を示す斜視図である。
【００１２】
この法面保護工用の木材固定材１は、図１に示すように、左右一対の木材係合片２、３から構成されており、これら木材係合片２、３間に木材挿入空間５が形成されるように対向させて使用される。そして、一方（左側）の木材係合片２は、複数本（図１では、６本）の横方向鉄筋２１と複数本（図１では、６本）の縦方向鉄筋２２とを格子状に溶接して固着し、各横方向鉄筋２１の一端にＵ字形のフック部２１ａを形成し、すべての横方向鉄筋２１をそのほぼ中央で右方向へＬ字形に９０°折り曲げた構造を有している。ここで、横方向鉄筋２１は互いに所定の間隔（例えば、４０〜１００ｍｍ）を置いて配置しており、縦方向鉄筋２２は互いに所定の間隔（例えば、４０〜１００ｍｍ）を置いて配置している。ただし、横方向鉄筋２１のフック部２１ａから最も離れた縦方向鉄筋２２Ａは、その隣の縦方向鉄筋２２Ｂに近接している。なお、各横方向鉄筋２１および各縦方向鉄筋２２は所定の直径（例えば、６〜１３ｍｍ）を有する鉄線や丸棒鋼などから形成されている。
【００１３】
また、他方（右側）の木材係合片３は、複数本（図１では、６本）の横方向鉄筋３１と複数本（図１では、６本）の縦方向鉄筋３２とを格子状に溶接して固着し、各横方向鉄筋３１の一端にＵ字形のフック部３１ａを形成し、すべての横方向鉄筋３１をそのほぼ中央で左方向へＬ字形に９０°折り曲げた構造を有している。ここで、横方向鉄筋３１は互いに所定の間隔（例えば、４０〜１００ｍｍ）を置いて配置しており、縦方向鉄筋３２は互いに所定の間隔（例えば、４０〜１００ｍｍ）を置いて配置している。ただし、横方向鉄筋３１のフック部３１ａから最も離れた縦方向鉄筋３２Ａは、その隣の縦方向鉄筋３２Ｂに近接している。なお、各横方向鉄筋３１および各縦方向鉄筋３２は所定の直径（例えば、６〜１３ｍｍ）を有する鉄線や丸棒鋼などから形成されている。
【００１４】
法面保護工用の木材固定材１は以上のような構成を有するので、この木材固定材１を用いて法面の壁面に間伐材を面状に敷設する際には次の手順による。
【００１５】
まず、図２に示すように、必要な数のジオグリッド７を法面に埋設した後、同じ組数の木材固定材１を法面の壁面６に設置して木材挿入空間５を形成する。それには、各木材固定材１の木材係合片２、３のフック部２１ａ、３１ａをそれぞれのジオグリッド７に引っ掛けて固定し、最上段の木材固定材１の木材係合片２、３については、その最上段のフック部２１ａ、３１ａを接続固定材４を介して固定用杭８に固定する。ここで、ジオグリッド７の強度が不安定な場合は、木材係合片２、３の最上段および最下段のフック部２１ａ、３１ａを接続固定材４を介して固定用杭８に固定する。すると、壁面６の手前に木材挿入空間５が形成される。
【００１６】
こうして壁面６の手前に木材挿入空間５が形成されたところで、この木材挿入空間５に必要本数（図４では、４本）の間伐材９を水平に挿入して積み重ねる。すると、各間伐材９はその両端が木材係合片２、３に係合した状態で壁面６上に敷設される。このとき、これら間伐材９が先細り形状である場合には、間伐材９の挿入方向を交互に変えて間伐材９が傾斜しないようにする。
【００１７】
最後に、これら間伐材９を安定させるべく、各木材係合片２、３の２本の縦方向鉄筋２２Ａ、２２Ｂ、３２Ａ、３２Ｂの隙間から間伐材９に釘を打って固定する。ここで、間伐材９の敷設作業が終了する。
【００１８】
このようにすれば、間伐材９が先細り形状であっても、これを法面の壁面６に固定して面状に敷設することができるため、森林資源を有効活用しつつ自然景観との調和を保つことが可能となる。
【００１９】
なお、上述の実施形態においては、左右一対の木材係合片２、３からなる木材固定材１について説明したが、法面の壁面６の横幅が間伐材９の長さより広い場合などは、これら木材係合片２、３に中継用の木材係合片を追加して用いることで対処することができる。以下、第２の実施形態として、そうした木材固定材１について説明する。
【００２０】
＜第２の実施形態＞
図３は本発明に係る法面保護工用の木材固定材の第２の実施形態を示す斜視図、
図４は図３に示す法面保護工用の木材固定材の使用状態を示す平面図である。
【００２１】
この法面保護工用の木材固定材１は、図３に示すように、左右一対の木材係合片２、３と必要個数（図３では、１個）の中継用の木材係合片４から構成されており、これら木材係合片２、３、４間に木材挿入空間５が形成されるように配置させて使用される。そして、左右一対の木材係合片２、３は、上述した第１の実施形態における木材係合片２、３と同じ構成を有している。また、中継用の木材係合片４は、複数本（図３では、６本）のＴ字形の横方向鉄筋４１と複数本（図３では、９本）の縦方向鉄筋４２とを格子状に溶接して固着し、各横方向鉄筋４１の脚部４１ｂの先端にＵ字形のフック部４１ａを形成した構造を有している。ここで、横方向鉄筋４１は互いに所定の間隔（例えば、４０〜１００ｍｍ）を置いて配置しており、縦方向鉄筋４２は互いに所定の間隔（例えば、４０〜１００ｍｍ）を置いて配置している。ただし、横方向鉄筋４１のフック部４１ａから最も離れた２本の縦方向鉄筋４２Ａはそれぞれ、その隣の縦方向鉄筋４２Ｂに近接している。なお、各横方向鉄筋４１および各縦方向鉄筋４２は所定の直径（例えば、６〜１３ｍｍ）を有する鉄線や丸棒鋼などから形成されている。
【００２２】
したがって、この木材固定材１を用いて法面の壁面に間伐材を面状に敷設する際には次の手順による。
【００２３】
まず、必要な数のジオグリッドを法面に埋設した後、同じ組数の木材固定材１を法面の壁面６に設置して木材挿入空間５を形成する。それには、各木材固定材１の木材係合片２、３、４のフック部２１ａ、３１ａ、４１ａをそれぞれのジオグリッドに引っ掛けて固定し、最上段の木材固定材１の木材係合片２、３については、その最上段のフック部２１ａ、３１ａを接続固定材を介して固定用杭に固定する。ここで、ジオグリッド７の強度が不安定な場合は、木材係合片２、３の最上段および最下段のフック部２１ａ、３１ａを接続固定材を介して固定用杭に固定する。すると、図３に示すように、壁面６の手前に複数個の木材挿入空間５が形成される。
【００２４】
こうして壁面６の手前に複数個の木材挿入空間５が形成されたところで、図４に示すように、各木材挿入空間５に必要本数の間伐材９を水平に挿入して積み重ねる。すると、各間伐材９はその両端が木材係合片２、３、４に係合した状態で壁面６上に敷設される。このとき、これら間伐材９が先細り形状である場合には、間伐材９の挿入方向を交互に変えて間伐材９が傾斜しないようにする。
【００２５】
最後に、これら間伐材９を安定させるべく、各木材係合片２、３、４の２本の縦方向鉄筋２２Ａ、２２Ｂ、３２Ａ、３２Ｂ、４２Ａ、４２Ｂの隙間から間伐材９に釘を打って固定する。ここで、間伐材９の敷設作業が終了する。
【００２６】
このようにすれば、間伐材９が先細り形状であっても、これを法面の壁面６に固定して面状に敷設することができるため、森林資源を有効活用しつつ自然景観との調和を保つことが可能となる。しかも、法面の壁面６の横幅が間伐材９の長さより広くても、中継用の木材係合片４によって間伐材９をその長さ方向に継ぎ足すことが可能となるので、法面保護工用の木材固定材１の汎用性が向上する。
【００２７】
＜その他の実施形態＞
図５は本発明に係る法面保護工用の木材固定材の第３の実施形態を示す斜視図である。
また、上述した第１の実施形態では、図１に示すように、すべての横方向鉄筋２１、３１にＵ字形のフック部２１ａ、３１ａを形成した木材係合片２、３からなる木材固定材１について説明したが、ジオグリッド工法に適するように、図５に示すとおり、木材係合片２、３の最上段および最下段の横方向鉄筋２１、３１にのみＵ字形のフック部２１ａ、３１ａを形成しても構わない。
【００２８】
同様に、上述した第２の実施形態では、図３に示すように、すべての横方向鉄筋２１、３１、４１にＵ字形のフック部２１ａ、３１ａ、４１ａを形成した木材係合片２、３、４からなる木材固定材１について説明したが、ジオグリッド工法に適するように、木材係合片２、３、４の最上段および最下段の横方向鉄筋２１、３１、４１にのみＵ字形のフック部２１ａ、３１ａ、４１ａを形成することも可能である。
【００２９】
さらに、上述した実施形態では棒状工材（横方向棒状工材および縦方向棒状工材）として鉄筋（横方向鉄筋２１、３１、４１および縦方向鉄筋２２、３２、４２）を採用した場合について説明したが、鉄筋と同等の強度を有するものある限り、鉄筋以外の棒状工材（例えば、帯鉄、プラスチック棒材など）を用いることもできる。
【００３０】
【発明の効果】
以上説明したように、本発明のうち請求項１に係る発明によれば、木材挿入空間に必要本数の間伐材を水平に挿入して積み重ねると、各間伐材はその両端が木材係合片に係合した状態で壁面上に敷設されることから、先細り形状の間伐材を壁面に固定して面状に敷設することにより、森林資源を有効活用しつつ自然景観との調和を保つことが可能な法面保護工用の木材固定材を提供することができる。
【００３１】
また、本発明のうち請求項２に係る発明によれば、壁面の横幅が間伐材の長さより広い場合でも、中継用の木材係合片によって間伐材をその長さ方向に継ぎ足すことが可能となるため、法面保護工用の木材固定材の汎用性を高めることができる。
【図面の簡単な説明】
【図１】本発明に係る法面保護工用の木材固定材の第１の実施形態を示す斜視図である。
【図２】図１に示す法面保護工用の木材固定材の使用状態を示す斜視図である。
【図３】本発明に係る法面保護工用の木材固定材の第２の実施形態を示す斜視図である。
【図４】図３に示す法面保護工用の木材固定材の使用状態を示す平面図である。
【図５】本発明に係る法面保護工用の木材固定材の第３の実施形態を示す斜視図である。
【符号の説明】
１……法面保護工用の木材固定材
２、３、４……木材係合片
５……木材挿入空間
６……壁面
９……間伐材
２１、３１、４１……横方向鉄筋（横方向棒状工材）
２１ａ、３１ａ、４１ａ……フック部
２２、３２、４２……縦方向鉄筋（縦方向棒状工材）
４１ｂ……脚部
【図１】
2004060221.tif 000003
【図２】
2004060221.tif 000004
【図３】
2004060221.tif 000005
【図４】
2004060221.tif 000006
【図５】
2004060221.tif 000007